(57)【要約】【課題】  剥離爪が退避位置にあるときにその剥離爪の先端部に作業者が誤って触れるようなことがあっても、怪我などの不慮の事故になりにくくすることができる用紙剥離装置およびそれを用いた定着装置を提供する。【解決手段】  退避位置にある剥離爪２１を、その剥離爪の先端部に接触する外力Ｆが加えられた際、その外力によってその外力の作用する方向とは逆らわない方向（Ｎ）に変位させ得るように揺動フレーム２３を介して支持部材２２に取り付けている。【選択図】    図５
2006058660.tif 000002
【特許請求の範囲】
【請求項１】
用紙が接触して通過する回転体の表面に当接しその回転体からの用紙の剥離を補助する剥離爪と、この剥離爪を前記回転体の表面に当接させる当接位置とその表面から離して退避させる退避位置の間で移動させるように支持する支持部材とを備え、
前記退避位置にある剥離爪を、その剥離爪の先端部に接触する外力が加えられた際、その外力によってその外力の作用する方向とは逆らわない方向に変位させ得るように前記支持部材に取り付けていることを特徴とする用紙剥離装置。
【請求項２】
前記剥離爪の支持部材への変位可能な取り付けは、その剥離爪が前記外力に逆らわない方向に揺動し得るように支持される揺動部材を介してなされる請求項１に記載の用紙剥離装置。
【請求項３】
前記剥離爪の支持部材への変位可能な取り付けは、その剥離爪が前記外力に逆らわない方向にスライド移動し得るように支持される移動部材を介してなされる請求項１に記載の用紙剥離装置。
【請求項４】
回転する定着用回転体の表面に未定着のトナー像を担持する用紙を接触させて通過させることでそのトナー像の用紙への定着を行う定着装置であって、
その定着用回転体の表面から用紙の剥離を補助する剥離爪を備えた用紙剥離装置として請求項１乃至３のいずれかに記載の用紙剥離装置を設けることを特徴とする定着装置。
【発明の詳細な説明】
【技術分野】
【０００１】
本発明は、用紙が接触して通過する回転体の表面から用紙の剥離を補助する剥離爪を備えた用紙剥離装置とそれを用いた定着装置に関するものである。
【背景技術】
【０００２】
電子写真方式、静電記録方式等の画像形成プロセス形式を利用したプリンタ、複写機、複合機等の画像形成装置では、画像情報に応じて形成される未定着のトナー像を用紙に転写した後にそのトナー像を用紙に定着させるための定着装置として、たとえば、次のようなタイプの定着装置が使用されている。すなわち、加熱されて回転する加熱ロール等の加熱回転体と、それに圧接して回転する加圧ロール等の加圧回転体とを備え、その加熱回転体と加圧回転体の間（定着ニップ部）に未定着トナー像を担持する用紙を導入して通過させるタイプの定着装置である。
【０００３】
この種の定着装置においては、その定着時には用紙が定着ニップ部となる加熱回転体等の表面に接触して通過することになるが、時には加熱回転体等の表面から正常に剥離されず巻きついてしまうことがある。このため、かかる定着装置においては、その用紙の巻きつきを防止するため、たとえば加熱回転体等の表面に当接してその表面からの用紙の剥離を補助する剥離爪を備えた用紙剥離装置を設けることがある。
【０００４】
また、このような用紙剥離装置を設けた定着装置では、用紙が定着ニップ部等において詰まった状態になる紙詰まり（ジャム）が発生したときや定着装置等のメンテナンスを行うときなどに、その用紙を取り除く作業やメンテナンス作業を行いやすくする等の目的で、用紙剥離装置における剥離爪を加熱回転体等の表面から離して退避させるような位置に移動させる支持機構を採用していることが多い。
【０００５】
ところで、上記したような用紙剥離装置では、紙詰まりした用紙を除去する作業やメンテナンス作業を行うときなどに、その剥離爪を退避位置に移動させてからその必要な作業が行われるが、その作業者が作業中において退避した剥離爪の先端部に手などが触れて負傷するおそれがあった。
【０００６】
このため従来においても、たとえば以下に示すような、その用紙剥離装置の剥離爪に対する作業者の安全性を確保するための対策を施した定着装置などが提案されている。
【０００７】
例えば、用紙剥離装置を定着装置本体に対して開閉する開閉ユニットに設け、その開放時には剥離爪の先端部を覆い、その閉塞時には剥離爪の先端部を露出させるようなカバー部材を具備させた定着装置である（特許文献１）。
【０００８】
また、定着装置本体に回動可能に設けられ剥離爪をロールに接触させる位置とそのロールから退避させる位置とに移動させ得る第１の支持部材と、この第１の支持部材の自由端側に回動自在に設けられて剥離爪を実際に支持する第２の支持部材に剥離爪とを備え、その第１の支持部材を退避位置に回動させたときに、第２の支持部材を第１の支持部材の回動方向とは反対方向に回動させて剥離爪の先端が第１の支持部材側に向くように構成した定着装置である（特許文献２）。
【０００９】
さらに、剥離爪がジャム処理等のために開閉される排出部に取り付けられ、その開放状態では剥離爪が定着ロールから退避してジャム処理通路が形成されるとともに、剥離爪の先端部がそのジャム処理通路から退避する姿勢に回動されるように構成された、定着装置におけるジャム処理機構である（特許文献３）。
【００１０】
【特許文献１】特開平９−１９０１０３号公報（請求の範囲、図１〜３など）
【特許文献２】特開平１０−２０７０２号公報（請求の範囲、図３など）
【特許文献３】特開平１０−６９１８５号公報（請求の範囲、図１など）
【発明の開示】
【発明が解決しようとする課題】
【００１１】
しかしながら、この従来の安全対策を施した用紙剥離装置やそれを用いた定着装置であっても、以下に示すような課題がそれぞれある。
【００１２】
すなわち、特許文献１に記載の定着装置では、そのカバー部材により剥離爪の先端まで完全に覆うようにするためには機構が複雑になり大掛かりなものとなり、ユニット全体としても大型化してコスト高になる。
【００１３】
特許文献２に記載の定着装置では、剥離爪の先端が第１の支持部材に向くようにするためには剥離爪の支持部材を広い範囲で、しかも異なる方向に回動させて動かす必要があって広めの設置スペース等を要する。
【００１４】
特許文献３に記載の定着装置では、開放時に剥離爪の先端部がジャム処理通路から退避する姿勢にあるとしても、その先端部はジャム処理通路から離れた位置にあるにすぎずその処理通路に面した状態にあるため、作業者が触れてしまう危険性が残っている。しかも、作業者が剥離爪の先端部に触れてしまった場合には、従来と同様に負傷してしまう危険性もある。
【００１５】
本発明は、このような課題を解決するためになされたものであり、剥離爪が退避位置にあるときにその剥離爪の先端部に作業者が誤って触れるようなことがあっても、怪我などの不慮の事故になりにくくすることができる用紙剥離装置およびそれを用いた定着装置を提供するものである。
【課題を解決するための手段】
【００１６】
本発明の用紙剥離装置は、用紙が接触して通過する回転体の表面に当接しその回転体からの用紙の剥離を補助する剥離爪と、この剥離爪を前記回転体の表面に当接させる当接位置とその表面から離して退避させる退避位置の間で移動させるように支持する支持部材とを備え、前記退避位置にある剥離爪を、その剥離爪の先端部に接触する外力が加えられた際、その外力によってその外力の作用する方向とは逆らわない方向に変位させ得るように前記支持部材に取り付けていることを特徴とするものである。
【００１７】
支持部材は、たとえば、回転体を支持する部材に設ける所定の支点を中心にして回動することにより剥離爪を当接位置および退避位置の双方に移動させることができるように取り付けられる部材とすることができるが、特にこれに限定されるものではない。外力の作用する方向とは逆らわない方向としては、剥離爪の先端部に加えられる外力の加えられる方向に沿った方向が勿論含まれるが、少なくとも、その外力により剥離爪全体が変位して外力のエネルギーを吸収し得るような方向であればよい。
【００１８】
なお、外力は、主に、剥離爪を退避位置に移動させて所定の作業（その剥離爪に近づくような動作を伴う作業）を行う作業者がその剥離爪の先端部に誤って触れることで発生するものをいう。また、回転体は、用紙の面の一部または全部と面接触するような表面を有するものであればよく、その形態については特に限定されるものではないが、たとえばロール形態、ベルト形態などが挙げられる。用紙は、トナー像の転写および定着が可能な記録媒体であればよく、その種類や形態等については特に限定されない。
【００１９】
この用紙剥離装置は、上述したような回転体を備え、その回転体の表面からの用紙の剥離を補助することを必要とするような装置（たとえば、用紙送出装置、用紙搬送装置など）に適用することが可能である。
【００２０】
上記剥離爪の支持部材への変位可能な取り付けは、たとえば、その剥離爪が前記外力に逆らわない方向に揺動し得るように支持される揺動部材を介してなされるように構成することができる。揺動部材は、たとえば、支持部材の所定位置に設ける支点を中心にして所望の方向に揺動（回動）するように組み合わせられるような部材である。この場合は、退避位置にある剥離爪の先端部に外力が加わると、その剥離爪が揺動部材によって支持部材に対し当該外力の作用方向と逆らわない方向に揺動することになる。たとえば、支持部材が回転体を支持する本体に対して或る支点を中心にして回動する部材である場合には、揺動部材の支点を支持部材の支点と同心のものとすることもできる。
【００２１】
また、その取り付けは、その剥離爪が前記外力に逆らわない方向にスライド移動し得るように支持される移動部材を介してなされるように構成することもできる。移動部材は、たとえば、支持部材に対して所望の方向にスライド移動するように組み合わせられるような部材である。この場合は、退避位置にある剥離爪の先端部に外力が加わると、その剥離爪が移動部材によって支持部材に対し当該外力の作用方向と逆らわない方向に移動することになる。
【００２２】
本発明の定着装置は、回転する定着用回転体の表面に未定着のトナー像を担持する用紙を接触させて通過させることでそのトナー像の用紙への定着を行う定着装置であって、その定着用回転体の表面から用紙の剥離を補助する剥離爪を備えた用紙剥離装置として請求項１乃至３のいずれかに記載の用紙剥離装置を設けることを特徴とするものである。
【００２３】
定着用回転体は、未定着トナー像の定着工程に寄与するものであれば特に制約されるものではなく、このためその形態についてはロール形態のほか、ベルト形態等であってもよく、また、その機能面から分類した場合には加熱用の回転体、加圧用の回転体、加熱および加圧用の回転体等のいずれのものであってもよい。
【発明の効果】
【００２４】
本発明の用紙剥離装置およびそれを用いた定着装置によれば、詰まった状態の用紙の除去作業やメンテナンス作業などを行う必要がある場合に用紙剥離装置の剥離爪を退避位置に移動させたとき、その退避位置にある剥離爪の先端部に作業者が誤って触れるようなことがあっても、その剥離爪が作業者の触れたことで発生する外力の作用方向と逆らわない方向に変位し得るため、作業者が剥離爪の先端部から受ける衝撃力がその変位する分だけ軽減される。
【００２５】
これにより、剥離爪が退避位置にある剥離爪の先端部に作業者が誤って触れるようなことがあっても、その剥離爪が所定の方向に変位するというだけの簡易な構成でもって怪我などの不慮の事故に至りにくいものとなり、作業者の安全性が確保される。
【発明を実施するための最良の形態】
【００２６】
［実施の形態１］
図１〜２は本発明を適用した実施の形態１に係る用紙剥離装置とそれを装備した定着装置を示すものであり、図１はその定着装置の概要を示す説明図、図２はその用紙剥離装置を拡大して示す説明図である。
【００２７】
定着装置１は、電子写真方式等の画像形成プロセス方式を利用した画像形成装置に適用されるものであり、図１に示すように、内部に加熱源を有し、矢印方向に回転駆動する円筒状の加熱ロール１１と、この加熱ロール１１に圧接して定着ニップ部ＦＮを形成する円筒状の加圧ロール１２と、その加熱ロール１１の用紙排出口側となる表面付近に装備される用紙剥離装置２Ａ（２Ｂ）とでその主要部が構成されるロールニップ型の定着装置である。図中の符号１３はカバーを兼ねたハウジングフレームであり、そのうち用紙導入口１３Ａおよび用紙排出口１３Ｂとなる部位が開口されている。
【００２８】
この定着装置１では、図示しない画像形成装置の作像部において形成されるトナー像５が転写された用紙６が、圧接した状態で矢印方向に回転する加圧ロール１１および加圧ロール１２の間に形成される定着ニップ部ＦＮにむけて搬送されるとともに用紙導入口を通して導入される。そして、そのトナー像５を担持する用紙６は定着ニップ部ＦＮを通過する際に加熱および加圧されることにより、そのトナー像５が用紙６に定着される。この定着後、その用紙６は加熱ロール１１等から剥離されて用紙排出口を通して排出される。
【００２９】
一方、用紙剥離装置２Ａは、加熱ロール１１の表面からの用紙６の剥離を補助するためのものであり、図２に示すように加熱ロール１１の表面に当接する剥離爪２１と、この剥離爪２１をそれぞれ支持する支持フレーム２２および揺動フレーム２３とでその主要部が構成されている。
【００３０】
剥離爪２１は、先鋭な形状に形成された爪部２１ａと、この爪部２１aから屈曲して形成されその爪部を含む剥離爪全体の取り付けに使用される取付け部２１ｂとで構成されている。この剥離爪２１は、加熱ロール１１の軸方向に対して所定の間隔をあけて複数設置されている。
【００３１】
支持フレーム２２は、剥離爪２１を加熱ロール１１の表面に当接させる当接位置とその表面から離して退避させる退避位置の間で移動させるように支持するためのものである。退避位置は、詰まった用紙を除去する作業や定着装置１または用紙剥離装置２のメンテナンス作業を行う際に移動させる位置である。この支持フレーム２２は、加熱ロール１１の一端部側から見た場合、図３に示すように、その全体がＵ字のようなフレーム形状に形成されている。また、支持フレーム２２は、そのフレームの一端部２２ａが、定着装置１のハウジングフレーム１３から加熱ロール１１の軸方向と平行する方向にむく外側にそれぞれ突出するように形成された支軸１５に回動可能に取り付けられており、これにより、その支軸１５を中心にして当該ハウジングフレーム１３に対し矢印Ｇ，Ｈで示すような方向に可動自在になっている。また、その他端部２２ｂは、加熱ロール１１の表面に近づく位置に至るような形状に形成されており、これにより剥離爪２１を加熱ロール１１に当接可能な状態で存在させることを可能にしている。
【００３２】
そして、この支持フレーム２２は、図３において実線で示す状態が剥離爪２１を当接位置に移動させたときの状態となり、二点鎖線で示す状態が剥離爪２１を退避位置に移動させたときの状態となるようになっている。なお、支持フレーム２２は、退避位置に移動したときには、矢印Ｈ方向への力を及ぼさない限りは、その退避位置で保持された状態に置かれる機構になっている。図中において、符号２４は支持フレーム２２の一端部２２ａに形成された揺動フレーム２３を取り付けるための支軸であり、２５ａは当接位置にあるときの剥離爪２１の最大許容停止位置として規制するための突起軸状のストッパー、２６は支持フレーム２２を退避位置等に回動させるときに使用する把持部である。また、符号２５ｂは上記ストッパー２５ａの根元側の部位の外径を大きく形成したものであり、剥離爪２１が当接位置にあるときの揺動フレーム２３の停止位置として規制するためのストッパーである。
【００３３】
揺動フレーム２３は、退避位置にある剥離爪２１を、その爪部２１ａの先端部に作業者が誤って触れることで外力として加えられた際、その外力によってその外力の作用する方向とは逆らわない方向に揺動させて変位させ得るように支持するためのものである。この揺動フレーム２３は、加熱ロール１１の一端部側から見た場合、図４に示すように、その全体が支持フレーム２２の各端部２２ａ，２２ｂにそれぞれ達するような長さの本体部２３ａとその本体部２３ａの一端部側から所定の角度で分岐するように伸びるアーム部２３ｂを有するフレーム形状に形成されている。
【００３４】
また、揺動フレーム２３は、その本体部２３ａの支持フレームの一端部２２ａ側に位置する部位に形成した軸孔２７を支持フレーム２２上の前記支軸２４に回動可能に取り付けられており、これにより矢印Ｍ，Ｎで示す方向に可動自在になっている。また、その本体部２３ａは、支持フレーム２２の自由端部２２ｂ側に伸びてストッパー２５ｂに当接し得る長さおよび形状になっており、その先端部には剥離爪２１を取り付けるための支軸２８が設けられている。一方、そのアーム部２３ｂの先端部には、後述する剥離爪２１に取り付ける引っ張りバネ（３５）の一端部を引っ掛けるための突起２９が設けられている。
【００３５】
そして、この揺動フレーム２３は、その本体部２３ａの軸孔２７の近くに形成された突起３０と支持フレーム２２側に形成された突起３１との間に引っ張りバネ３２が張架されており、これにより平常時は矢印Ｍ方向に回動するように付勢されている。なお、この引っ張りバネ３２により矢印Ｍ方向に回動するときの揺動フレーム２３は、その本体部２３ａの先端部が支持フレーム２２のストッパー２５ｂによって位置規制（剥離爪２１が当接位置にあるときの停止位置として規制）されるようになっている。これに対し、揺動フレーム２３は、その矢印Ｎ方向に対しては、引っ張りバネ３２の付勢力に抗して力を加えれば、支軸２４を中心にして回動するようにもなっている。また、揺動フレーム２３の矢印Ｎ方向への回動の限界位置は、たとえば引っ張りバネ３２の引っ張り力の大きさで定められるように構成することができる。
【００３６】
この用紙剥離装置２Ａにおいては、剥離爪２１がこの揺動フレーム２３を介して支持フレーム２２に取り付けられている。
【００３７】
すなわち、剥離爪２１は、図２等に示すように、その取付け部２１ｂのほぼ中央部に形成される軸孔３３を揺動フレーム２３の支軸２８に回動可能に取り付け、これにより矢印Ｃ，Ｄ方向に回動自在になっている。また、剥離爪２１は、その取付け部２１ｂにおける軸孔３３の爪部２１ａとは反対側の部位に形成される取付け孔３４と揺動フレーム２３に設けた突起２９との間に引っ張りバネ３５を張架しており、これにより平常時は矢印Ｃ方向に回動するように付勢されている。
【００３８】
さらに、この揺動フレーム２３に取り付けられた剥離爪２１は、当接位置にあるときには、まず引っ張りバネ３２で付勢されている揺動フレーム２３が支持フレーム２２上のストッパー２５ｂに係止された状態にあり、そのような状態にある揺動フレーム２３上において引っ張りバネ３５で付勢されている剥離爪の爪部２１ａの先端部が加熱ロール１１の表面に所定の圧力でもって当接した状態に置かれるようになる（図２）。
図２において、剥離爪２１の爪部２１ａをストッパー２５により位置規制されている状態で図示しているため、その爪部２１ａが加熱ロール１１の内部に食い込んだような状態で図示しているが、これは便宜上のものであり、実際には爪部２１ａの先端部は加熱ロール１１の表面に当接した位置にあり、引っ張りバネ３５の付勢力により矢印Ｃ方向に回動して所定の圧力でロール表面に当接した状態に置かれている（図７も同様である）。
【００３９】
そして、このような用紙剥離装置２Ａを装備する定着装置１は、図２に示すように、平常時には、その剥離爪２１の爪部２１ａが加熱ロール１１の表面に当接した位置にあり、これにより、たとえば定着時に定着ニップ部ＦＮを通過した後に加熱ロール１１から正常に剥離されず貼り付いたままの用紙６が発生しても、その用紙６が剥離爪２１によって良好に剥がされるようになる。
【００４０】
一方、紙詰まりした用紙６の除去作業やメンテナンス作業を行う時期が発生したときには、まず、図５に示すように用紙剥離装置２Ａの剥離爪２１を退避位置に移動させる。すなわち、支持フレーム２２をその支軸１５を中心にして矢印Ｇ方向に回動させることにより、剥離爪２１を退避位置に移動させることができる。
【００４１】
この際、揺動フレーム２３は、支持フレーム２２上の支軸２４に支持された状態であるとともに引っ張りバネ３２で付勢されて支持フレーム２２上のストッパー２５ｂに係止された状態であることにより、支持フレーム２２と一体的に退避位置に移動する。また、この揺動フレーム２３上にある剥離爪２１は、引っ張りバネ３５で付勢されて支持フレーム２２上のストッパー２５ａに係止された状態にある。そして、このような関係があることにより、支持フレーム２２を退避位置に移動させるべく揺動させると、その揺動動作に連動して揺動フレーム２３が、さらにはこのフレーム２３に取り付けられた剥離爪２１も一体となって退避位置に移動することになる。
【００４２】
用紙の除去作業やメンテナンス作業は、このように剥離爪２１を退避位置に移動させた状態にして行われる。しかし、このとき、退避位置にある剥離爪２１（の爪部２１ａ）の先端部が下方側を向いて突き出した状態にあるため、たとえば、その作業者が加熱ロール１１側に手を近づけて作業を行う必要があるような場合には、その手が剥離爪２１の先端部に誤って触れてしまうおそれがある。特に図５等に矢印Ｆで示すように、その剥離爪２１の先端部にむけて真正面側（Ｆａ）またはほぼ正面側（Ｆｂ，Ｆｃなど）から接触するような場合には、作業者が最も怪我をし易い状況に置かれることになる。
【００４３】
しかし、この用紙剥離装置２Ａおよびこれを装備する定着装置１においては、仮に退避位置にある剥離爪２１の先端部に誤って作業者が矢印Ｆで示すような方向から触れることがあっても、図６に示すように、その作業者が剥離爪２１に触れたことで発生する外力（Ｆ）の作用を受けることにより揺動フレーム２３が引っ張りバネ３２による付勢力に抗してその支軸２４を中心にして矢印Ｎ方向に揺動するため、剥離爪２１はその揺動フレーム２３の揺動に伴って矢印Ｎ方向に一緒に揺動することになる。このときの剥離爪２１（揺動フレーム２３）の揺動する方向Ｎは、上記外力（Ｆ）の剥離爪２１の先端部に作用する方向にほぼ沿ったものであり、その作用方向に逆らわない方向でもある。
【００４４】
この結果、作業者が剥離爪２１の先端部から受ける衝撃力がその揺動して変位する分だけ軽減されるため、作業者が大きな怪我をすることがなく、しかもその軽減された衝撃が小さければほとんど怪我をしないで済むようになる。したがって、上記用紙取り除き作業時やメンテナンス作業時における作業者の剥離爪に関係する不慮の事故の発生を低減することができ、その各作業時における安全性を確保することができる。
【００４５】
特にこの用紙剥離装置２Ａ等では、その退避位置にある剥離爪２１をその揺動フレーム２３を介して支持フレーム２２に回動可能に取り付け、外力の作用方向に逆らわない方向に揺動するように構成しただけのものであるため、その構成は複雑で大掛かりなものではなく簡易なものであり、コスト高となることもなく優れている。また、揺動フレーム２３は、その支軸２４を中心に矢印Ｍ，Ｎ方向に回動した場合でもそのフレーム部分が支持フレーム２２の外側に突出することなく、その支持フレーム２２の内側の範囲内に収まるような回動位置および形状に設定されているため、用紙剥離装置２Ａ全体が大型化することもなくきわめてコンパクトである。
【００４６】
ちなみに、剥離爪２１の先端部に誤って触れてしまった作業者が素早くその剥離爪２１から離れる方向に手を引いたときは、その矢印Ｎ方向に揺動フレーム２３を介して揺動した剥離爪２１は引っ張りバネ３２による付勢力により矢印Ｍ方向に揺動して平常時の位置（ストッパー２５ａで規制される位置）に復元することになる（図５）。また、上記各作業が終了した後は、剥離爪２１を退避位置から当接位置に移動させることになる。
【００４７】
［実施の形態２］
図７は、本発明を適用した実施の形態２に係る用紙剥離装置２Ｂを拡大して示すものである。
【００４８】
この用紙剥離装置２Ｂは、前記した実施の形態１に係る定着装置１に（用紙剥離装置２Ａに代えて）同様に装備して使用することができるものである。このため、用紙剥離装置２Ｂは、前記用紙剥離装置２Ａと同様に加熱ロール１１の表面からの用紙６の剥離を補助するためのものであり、剥離爪２１を支持する揺動フレーム２３に代えて移動フレーム４１を適用した以外は用紙剥離装置２Ａと同様の構成からなるものである。したがって、剥離爪２１、支持フレーム２２については、実施の形態１の場合と同様であるため、その説明を省略する。
【００４９】
上記移動フレーム４１は、支持フレーム２２により退避位置にあるときの剥離爪２１を、その爪部２１ａの先端部に作業者が誤って触れることで外力として加えられた際、その外力によってその外力の作用する方向とは逆らわない方向にスライド移動させて変位させ得るように支持するためのものである。この移動フレーム４１は、加熱ロール１１の一端部側から見た場合、図８等に示すように、その全体が支持フレーム２２の各端部２２ａ，２２ｂにそれぞれ達するような長さの本体部４１ａと、その本体部４１ａの一端部側から所定の角度で分岐するように伸びるスライド支持部４１ｂを有するフレーム形状に形成されている。
【００５０】
また、移動フレーム４１は、その本体部４１ａの支持フレームの一端部２２ａ側に位置する部位に長孔状に形成したスライド孔４２を、支持フレーム２２上に突出形成した上下平行面付きガイド軸３８（前記円柱状の支軸２４の上下部を削って平行面としたような形態のガイド突起）にスライド可能に取り付けており、これにより矢印Ｊ，Ｋで示す方向にスライド自在になっている。また、その本体部４１ａは、支持フレーム２２の自由端部２２ｂ側に伸びてストッパー２５ｂに当接し得る長さおよび形状になっており、その先端部には剥離爪２１を取り付けるための支軸４３が設けられている。一方、そのスライド支持部４１ｂの先端部には、剥離爪２１に取り付ける引っ張りバネ３５の一端部を引っ掛けるための突起４４と、後述する引張りバネ（３７）の一端部を引っ掛けるための突起４５が設けられている。突起４５は、スライド孔４２からスライド方向となる直線上となる部位に設けられている。
【００５１】
ちなみに、移動フレーム４１は、必要に応じて、支持フレーム２２に形成された長いガイド孔２２ｇ（図３参照）にスライド移動可能に取り付けられるガイド突起３９を設け（図７参照）、そのガイド突起３９とガイド孔２２ｇとの結合によっても矢印Ｊ，Ｋで示す方向にスライド自在になるように構成してもよい。この場合は、前記上下平行面付きガイド軸３８についてはその平行面のない円柱状の軸に変更することができる。
【００５２】
さらに、この移動フレーム４１は、そのスライド支持部４１ｂに形成された前記突起４５と支持フレーム２２上のガイド軸３８に形成された突起３８ａとの間に引っ張りバネ３７が張架されており、これにより平常時は矢印Ｊ方向に移動する状態になるよう付勢されている。また、移動フレーム４１は、その矢印Ｋ方向に対しては、引っ張りバネ３７の付勢力に抗して力を加えれば、スライド孔４２等にそってスライド移動するようにもなっている。なお、移動フレーム４１は、実施の形態１における揺動フレーム２３の場合と同様に、その本体部４１ａの先端部が支持フレーム２２上のストッパー２５ｂによって位置規制（剥離爪２１が当接位置にあるときの停止位置として規制）されるようになっている。また、移動フレーム４１の矢印Ｋ方向へのスライド移動の限界位置は、たとえばスライド孔４２の長さと支軸２４との間のスライド可能な長さで定められるように構成することができる。
【００５３】
そして、この用紙剥離装置２Ｂにおいては、剥離爪２１がこの移動フレーム４１を介して支持フレーム２２に取り付けられている。
【００５４】
すなわち、剥離爪２１は、図７等に示すように、その取付け部２１ｂのほぼ中央部に形成される軸孔３３を移動フレーム４１の支軸４３に回動可能に取り付け、これにより矢印Ｃ，Ｄ方向に回動自在になっている。また、剥離爪２１は、その取付け部２１ｂに形成される前記取付け孔３４と移動フレーム４１に設けた突起４４との間に引っ張りバネ３５を張架しており、これにより平常時は矢印Ｃ方向に回動するように付勢されている。
【００５５】
そして、このような用紙剥離装置２Ｂを装備する定着装置１は、平常時においては、用紙剥離装置２Ａの場合と同様に、その剥離爪２１の爪部２１ａが加熱ロール１１の表面に当接した位置にあり、これにより、定着ニップ部ＦＮを通過した後に加熱ロール１１からの用紙６の剥離を補助する役割を果たす。
【００５６】
一方、紙詰まりした用紙６の除去作業やメンテナンス作業を行う時期が発生したときには、用紙剥離装置２Ａの場合と同様に、まず図９に示すように用紙剥離装置２Ｂの剥離爪２１を退避位置に移動させる。すなわち、支持フレーム２２をその支軸１５（図３）を中心にして矢印Ｇ方向に回動させることにより、剥離爪２１を退避位置に移動させることができる。
【００５７】
この際、移動フレーム４１は、支軸２４に支持された状態であってかつ支持フレーム２２のストッパー２５ｂで係止された状態であることにより、支持フレーム２２と一体的に退避位置に移動する。また、この移動フレーム４１上にある剥離爪２１は、引っ張りバネ３７で付勢されて支持フレーム２２上のストッパー２５ａに係止された状態にある。そして、このような関係があることにより、支持フレーム２２を退避位置に移動させるべく揺動させると、その揺動動作に連動して移動フレーム４１が、さらにはこのフレーム４１に取り付けられた剥離爪２１も一体となって退避位置に移動することになる。
【００５８】
用紙の除去作業やメンテナンス作業は、このように剥離爪２１を退避位置に移動させた状態にして行われる。しかし、このとき、用紙剥離装置２Ｂの場合においても、その退避位置にある剥離爪２１（の爪部２１ａ）の先端部が下方側を向いて突き出した状態にあるため、たとえば、その作業者が加熱ロール１１側に手を近づけて作業を行う必要があるような場合には、その手が剥離爪２１の先端部に誤って触れてしまうおそれがある。特に図９等に矢印Ｆで示すように、その剥離爪２１の先端部にむけて真正面側（Ｆａ）またはほぼ正面側（Ｆｂ，Ｆｃなど）から接触するような場合には、作業者が最も怪我をし易い状況に置かれることになる。
【００５９】
しかし、この用紙剥離装置２Ｂおよびこれを装備する定着装置１においては、仮に退避位置にある剥離爪２１の先端部に誤って作業者が矢印Ｆで示すような方向から触れることがあっても、図１０に示すように、その作業者が剥離爪２１に触れたことで発生する外力（Ｆ）の作用を受けることにより移動フレーム４１全体が引っ張りバネ３７による付勢力に抗してそのスライドガイド孔４２と支軸２４等の関係により矢印Ｋ方向にスライド移動するため、剥離爪２１がその移動フレーム４１の移動に伴って矢印Ｋ方向に一緒にスライド移動することになる。このときの剥離爪２１のスライド移動する方向Ｋは、上記外力（Ｆ）の剥離爪２１の先端部に作用する方向にほぼ沿ったものであり、その作用方向に逆らわない方向でもある。
【００６０】
この結果、作業者が剥離爪２１の先端部から受ける衝撃力がそのスライド移動して変位する分だけ軽減されるため、作業者が大きな怪我をすることがなく、その軽減された衝撃が小さければほとんど怪我をしないで済むようになる。したがって、この場合においても、上記用紙取り除き作業時やメンテナンス作業時における作業者の剥離爪に関係する不慮の事故の発生を低減することができ、その各作業時における安全性を確保することができる。
【００６１】
特にこの用紙剥離装置２Ａ等では、その退避位置にある剥離爪２１をその移動フレーム４１を介して支持フレーム２２にスライド移動可能に取り付け、外力の作用方向に逆らわない方向にスライド移動するように構成しただけのものであるため、その構成は複雑で大掛かりなものではなく簡易なものであり、コスト高となることもない。また、移動フレーム４１は、そのスライドガイド孔４２と支軸２４等との案内作用により矢印Ｊ，Ｋ方向にスライド移動した場合でもそのフレーム部分が支持フレーム２２の外側にわずかに突出する程度であり、その支持フレーム２２とほぼ同じ大きさに止まるため、用紙剥離装置２Ｂ全体が大型化することもなくコンパクトである。
【００６２】
［他の実施の形態］
実施の形態１、２では、用紙剥離装置２Ａ，２Ｂを加熱ロール１１に設置した場合を例示したが、必要により、用紙剥離装置２Ａ，２Ｂは加圧ロール１２のみに、または加熱ロール１１と加圧ロール１２の双方に設置してもよい。また、定着装置１は、その加熱ロール１１と加圧ロール１２のいずれか一方または双方がベルト形態で形成されたベルトニップ型の定着装置として構成されたものであっても構わない。
【００６３】
また、用紙剥離装置２Ａ，２Ｂは、用紙搬送用ロール対や用紙搬送用ベルトなどの用紙搬送手段を有する用紙搬送装置に対し、その用紙搬送手段の表面からの搬送対象の用紙の剥離を補助するために設置して使用することも可能である。
【図面の簡単な説明】
【００６４】
【図１】実施の形態１に係る用紙剥離装置およびそれを装備した定着装置の概要を示す説明図である。
【図２】用紙剥離装置（剥離爪が当接位置にあるとき）を拡大して示す説明図である。
【図３】支持フレームの構成を示す要部説明図である。
【図４】揺動フレームの構成を示す要部説明図である。
【図５】剥離爪が退避位置にあるときの用紙剥離装置の状態を示す説明図である。
【図６】剥離爪の先端部に外力が加えられたときに剥離爪（揺動フレーム）が所定の方向に揺動した状態を示す説明図である。
【図７】実施の形態２に係る用紙剥離装置（剥離爪が当接位置にあるとき）を拡大して示す説明図である。
【図８】移動フレームの構成を示す要部説明図である。
【図９】剥離爪が退避位置にあるときの用紙剥離装置の状態を示す説明図である。
【図１０】剥離爪の先端部に外力が加えられたときに剥離爪（移動フレーム）が所定の方向にスライド移動した状態を示す説明図である。
【符号の説明】
【００６５】
１…定着装置、２Ａ，２Ｂ…用紙剥離装置、５…未定着トナー像、６…用紙、１１…加熱ロール（回転体、定着用回転体）、１２…加圧ロール（回転体、定着用回転体）、２１…剥離爪、２２…支持フレーム（支持部材）、２３…揺動フレーム（揺動部材）、４１…移動フレーム（移動部材）、Ｆ…外力、Ｎ…外力が加えられたときの回動方向（外力の作用方向に逆らわない方向）、Ｋ…外力が加えられたときのスライド移動方向（外力の作用方向に逆らわない方向）。
【図１】
2006058660.tif 000003
【図２】
2006058660.tif 000004
【図３】
2006058660.tif 000005
【図４】
2006058660.tif 000006
【図５】
2006058660.tif 000007
【図６】
2006058660.tif 000008
【図７】
2006058660.tif 000009
【図８】
2006058660.tif 000010
【図９】
2006058660.tif 000011
【図１０】
2006058660.tif 000012